(57)【要約】      （修正有）【課題】撮像装置の姿勢状態に応じたタッチ操作の操作性を向上させることができる撮像装置及びその制御方法を提供する。【解決手段】撮像装置１００は、撮像装置１００を第１姿勢状態で使用するための、撮影指示を受け付ける第１操作手段と、撮像装置１００を第２姿勢状態で使用するための、撮影指示を受け付ける第２操作手段と、タッチパネル７０ａへのタッチ操作を検出するためのタッチ検知領域を、タッチパネル７０ａの全体領域のうちの一部の領域に設定する設定手段と、設定されたタッチ検知領域に対するタッチ操作に応じて、焦点調節位置を変更する変更手段と、を備える。設定手段は、第１操作手段に対する操作が行われる場合と、第２操作手段に対する操作が行われる場合とで、タッチ検知領域を異なる位置に設定する。【選択図】図３
2019184771.tif 000002
【特許請求の範囲】
【請求項１】
撮像装置であって、
前記撮像装置を第１姿勢状態で使用するための、撮影指示を受け付ける第１操作手段と、
前記撮像装置を第２姿勢状態で使用するための、撮影指示を受け付ける第２操作手段と、
タッチパネルへのタッチ操作を検出するためのタッチ検知領域を、前記タッチパネルの全体領域のうちの一部の領域に設定する設定手段と、
設定された前記タッチ検知領域に対するタッチ操作に応じて、焦点調節位置を変更する変更手段と、を備え、
前記設定手段は、前記第１操作手段に対する操作が行われる場合と、前記第２操作手段に対する操作が行われる場合とで、前記タッチ検知領域を異なる位置に設定することを特徴とする撮像装置。
【請求項２】
前記第２姿勢状態は、前記第１姿勢状態から撮像装置を９０°回転した姿勢状態であることを特徴とする請求項１に記載の撮像装置。
【請求項３】
前記設定手段は、前記第２操作手段に対する操作が行われる場合、前記第１操作手段に対する操作が行われる場合に対して、前記タッチ検知領域の設定を、前記タッチパネルを正面から見て時計回りに９０°回転した領域に変更することを特徴とする請求項１または請求項２に記載の撮像装置。
【請求項４】
前記設定手段は、前記第１操作手段に対する操作が行われる場合に設定する前記タッチ検知領域を、予め用意された複数のパターンからユーザ指示に従って選択することを特徴とする請求項１から請求項３までのいずれか１項に記載の撮像装置。
【請求項５】
前記焦点調節位置は、撮影時の焦点調節に使用するＡＦフレームの位置であることを特徴とする請求項１から請求項４までのいずれか１項に記載の撮像装置。
【請求項６】
前記第１操作手段に対する操作および前記第２操作手段に対する操作は、撮影準備指示の操作であることを特徴とする請求項１から請求項５までのいずれか１項に記載の撮像装置。
【請求項７】
前記設定手段は、前記第１操作手段に対する操作が行われたか、前記第１の操作手段に対する操作が行われたかを判断することを特徴とする請求項１から請求項６までのいずれか１項に記載の撮像装置。
【請求項８】
前記設定手段は、撮像装置の接眼ファインダーが覗かれている接眼状態であるか否かを判定し、接眼状態であると判定した場合に、前記第１操作手段に対する操作が行われたか、前記第１の操作手段に対する操作が行われたかを判断することを特徴とする請求項７に記載の撮像装置。
【請求項９】
前記設定手段は、撮像装置の接眼ファインダーが覗かれている接眼状態であるか否かを判定し、接眼状態でないと判定した場合に、前記タッチ検知領域をタッチパネルの全体領域に設定することを特徴とする請求項１から請求項８までのいずれか１項に記載の撮像装置。
【請求項１０】
前記設定手段は、前記第２操作手段に対する操作が行われた場合、当該操作がオフされてから所定の時間が経過したことに応じて、前記タッチ検知領域の設定を変更前の設定に戻すことを特徴とする請求項３に記載の撮像装置。
【請求項１１】
前記第１姿勢状態で把持するための第１把持部と、前記第２姿勢状態で把持するための第２把持部と、をさらに備え、
前記第１操作手段は前記第１把持部の近傍に設けられ、前記第２操作手段は前記第２把持部の近傍に設けられることを特徴とする請求項１から請求項１０までのいずれか１項に記載の撮像装置。
【請求項１２】
前記第２把持部は、前記撮像装置から取り外し可能であることを特徴とする請求項１１に記載の撮像装置。
【請求項１３】
撮像装置であって、
前記撮像装置を第１姿勢状態で把持するための第１把持部と、
前記撮像装置を第２姿勢状態で把持するための第２把持部と、
タッチパネルへのタッチ操作を検出するためのタッチ検知領域を、前記タッチパネルの全体領域のうちの一部の領域に設定する設定手段と、
設定された前記タッチ検知領域に対するタッチ操作に応じて、焦点調節位置を変更する変更手段と、を備え、
前記設定手段は、前記第１把持部が把持される場合と、前記第２把持部が把持される場合とで、前記タッチ検知領域を異なる位置に設定することを特徴とする撮像装置。
【請求項１４】
前記設定手段は、前記第１把持部が把持された把持状態であるか、前記第２把持部が把持された把持状態であるかを検知することを特徴とする請求項１３に記載の撮像装置。
【請求項１５】
コンピュータを請求項１から請求項１２までのいずれか１項に記載の撮像装置の前記設定手段および前記変更手段として機能させるためのプログラム。
【請求項１６】
コンピュータを請求項１３または請求項１４に記載の撮像装置の前記設定手段および前記変更手段として機能させるためのプログラム。
【請求項１７】
装置本体を第１姿勢状態で使用するための、撮影指示を受け付ける第１操作部と、装置本体を第２姿勢状態で使用するための、撮影指示を受け付ける第２操作部と、を備える撮像装置の制御方法であって、
タッチパネルへのタッチ操作を検出するためのタッチ検知領域を、前記タッチパネルの全体領域のうちの一部の領域に設定する設定ステップと、
設定された前記タッチ検知領域に対するタッチ操作に応じて、焦点調節位置を変更する変更ステップと、を有し
前記設定ステップは、前記第１操作部に対する操作が行われる場合と、前記第２操作部に対する操作が行われる場合とで、前記タッチ検知領域を異なる位置に設定することを特徴とする撮像装置の制御方法。
【請求項１８】
装置本体を第１姿勢状態で把持するための第１把持部と、装置本体を第２姿勢状態で把持するための第２把持部と、を備える撮像装置の制御方法であって、
タッチパネルへのタッチ操作を検出するためのタッチ検知領域を、前記タッチパネルの全体領域のうちの一部の領域に設定する設定ステップと、
設定された前記タッチ検知領域に対するタッチ操作に応じて、焦点調節位置を変更する変更ステップと、を有し、
前記設定ステップは、前記第１把持部が把持される場合と、前記第２把持部が把持される場合とで、前記タッチ検知領域を異なる位置に設定することを特徴とする撮像装置の制御方法。
【発明の詳細な説明】
【技術分野】
【０００１】
本発明は、タッチ操作が可能な撮像装置及びその制御方法に関する。
【背景技術】
【０００２】
撮影する被写体の構図を確認するための接眼ファインダーと、撮影した画像の表示やライブビュー表示を行うための背面ディスプレイを備えている撮像装置がある。近年は、背面ディスプレイにタッチパネル機能を搭載することにより、背面ディスプレイで直感的に操作できる撮像装置も普及してきている。背面ディスプレイにタッチパネル機能を搭載した場合、ユーザが接眼ファインダーを覗いたときに、ユーザの顔の一部（鼻等）が背面ディスプレイに当たることにより、誤動作が生じることがある。
【０００３】
利き目が左右どちらなのか、利き手が左右どちらなのか、親指がどこまで届くのか等、ユーザ毎の使い方に合わせてタッチパネルのタッチ検知領域をいくつかのパターンから選択可能とする撮像装置がある。例えば、接眼ファインダーを用いた撮影時に、接眼ファインダーから目を離すことなく、ブラインド操作で背面ディスプレイをタッチ操作することでフォーカス調整位置を変更する際に使用するタッチ検知領域が選択可能となっている。
【０００４】
下記の特許文献１では、ユーザが接眼ファインダーを覗く眼の情報を予め登録し、本登録情報に応じてタッチパネルのタッチ検知領域を制限する手法が提案されている。タッチ検知領域外へのタッチ入力を無効にすることで誤動作を防止する。
【先行技術文献】
【特許文献】
【０００５】
【特許文献１】特開２００９−２６０６８１号公報
【発明の概要】
【発明が解決しようとする課題】
【０００６】
装置本体を横位置（正位置）にして撮影するだけでなく、縦位置にして撮影しやすいように予めグリップを２か所備えたものや、カメラ本体とは別体の縦位置撮影用のグリップ部材を装着可能な撮像装置もある。横位置撮影用のグリップと縦位置撮影用のグリップのそれぞれに撮影指示を受け付ける撮影ボタンを備えたものもある。ユーザが横位置撮影用のグリップと縦位置撮影用のグリップのどちらを握るかで、親指が届く背面ディスプレイの領域が異なる。また、撮像装置を横位置で構えた時と、縦位置で構えた時とでは、ユーザの顔の一部（鼻等）が接触する背面ディスプレイの位置が異なる。
【０００７】
しかしながら、上述した特許文献１では、横位置撮影用のグリップと縦位置撮影用のグリップを備える構成、横位置撮影用のグリップと縦位置撮影用のグリップのそれぞれに撮影指示を受け付ける撮影ボタンを備える構成については考慮されていない。
【０００８】
そこで、本発明は、撮像装置の姿勢状態に応じたタッチ操作の操作性を向上させることができる撮像装置及びその制御方法を提供することを目的とする。
【課題を解決するための手段】
【０００９】
上述した課題を解決するために、本発明の一実施形態に係る撮像装置は、前記撮像装置を第１姿勢状態で使用するための、撮影指示を受け付ける第１操作手段と、前記撮像装置を第２姿勢状態で使用するための、撮影指示を受け付ける第２操作手段と、タッチパネルへのタッチ操作を検出するためのタッチ検知領域を、前記タッチパネルの全体領域のうちの一部の領域に設定する設定手段と、設定された前記タッチ検知領域に対するタッチ操作に応じて、焦点調節位置を変更する変更手段と、を備える。前記設定手段は、前記第１操作手段に対する操作が行われる場合と、前記第２操作手段に対する操作が行われる場合とで、前記タッチ検知領域を異なる位置に設定する。
【００１０】
また、本発明の他の一実施形態に係る撮像装置は、前記撮像装置を第１姿勢状態で把持するための第１把持部と、前記撮像装置を第２姿勢状態で把持するための第２把持部と、タッチパネルへのタッチ操作を検出するためのタッチ検知領域を、前記タッチパネルの全体領域のうちの一部の領域に設定する設定手段と、設定された前記タッチ検知領域に対するタッチ操作に応じて、焦点調節位置を変更する変更手段と、を備える。前記設定手段は、前記第１把持部が把持される場合と、前記第２把持部が把持される場合とで、前記タッチ検知領域を異なる位置に設定する。
【発明の効果】
【００１１】
本発明によれば、撮像装置の姿勢状態に応じたタッチ操作の操作性を向上させることができる。
【図面の簡単な説明】
【００１２】
【図１】本発明に係る電子機器の一例としての撮像装置の外観図である。
【図２】撮像装置に装着可能な縦位置撮影用グリップの外観図である。
【図３】撮像装置の構成例を示すブロック図である。
【図４】実施の形態１における撮影時の焦点調節位置の設定処理について説明するためのフローチャートである。
【図５】接眼状態におけるタッチ操作によるＡＦフレームの変更処理について説明するための図である。
【図６】背面表示部の表示画面例である。
【図７】タッチ検知領域の設定処理について説明するための図である。
【図８】タッチ検知領域の設定処理について説明するためのフローチャートである。
【図９】横位置撮影用のタッチ検知領域と縦位置撮影用のタッチ検知領域の設定例を示す図である。
【図１０】実施の形態２におけるタッチ検知領域の設定処理について説明するためのフローチャートである。
【図１１】実施の形態３におけるタッチ検知領域の設定処理について説明するためのフローチャートである。
【発明を実施するための形態】
【００１３】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１４】
図１（ａ）（ｂ）は、本発明に係る電子機器の一例としての撮像装置（デジタルカメラ）１００の外観図である。図１（ａ）は、撮像装置１００の前面斜視図であり、図１（ｂ）は、撮像装置１００の背面斜視図である。図２（ａ）（ｂ）は、撮像装置１００に装着可能な縦位置撮影用グリップ３００の外観図である。図２（ａ）は、縦位置撮影用グリップ３００の背面斜視図であり、図２（ｂ）は、縦位置撮影用グリップ３００の前面斜視図である。図３は、撮像装置１００の構成例を示すブロック図である。
【００１５】
図１（ａ）（ｂ）において、画像や各種情報を表示する背面表示部２８がカメラ背面に設けられている。背面表示部２８は、例えば、液晶ディスプレイ（ＬＣＤ）パネルとバックライトユニットで構成されたり、有機ＥＬディスプレイパネルで構成されたりする。ファインダー外表示部４３は、カメラ上面に設けられた小面積の表示部であり、シャッター速度や絞りをはじめとするカメラの様々な設定値が表示される。
【００１６】
横位置（正位置）撮影用のシャッターボタン６１は、横位置撮影用のグリップ部９０の近傍に設けられた、ユーザの撮影指示を受け付ける操作部である。シャッターボタン６１は、横位置撮影用グリップ部９０の表面に設けられても良い。横位置撮影用のシャッターボタン６１は、横位置撮影用グリップ部９０を把持した撮像装置１００の姿勢状態で使用するためのシャッターボタンである。
【００１７】
モード切替えスイッチ６０は各種モードを切り替えるための操作部である。端子カバー４０は、撮像装置１００を外部機器と接続するためのコネクタ（不図示）を保護するカバーである。
【００１８】
メイン電子ダイヤル７１は操作部７０に含まれる回転操作部材であり、このメイン電子ダイヤル７１を回すことで、シャッター速度や絞りなどの設定値の変更等が行える。電源スイッチ７２は撮像装置１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の上、下、左、右部分のうち押した部分に応じた操作が可能となっている。ＳＥＴボタン７５は操作部７０に含まれ、主に選択項目の決定などに用いられる押しボタンである。
【００１９】
ＬＶボタン７６は操作部７０に含まれ、メニュー画面においてライブビュー（以下、ＬＶ）表示のＯＮとＯＦＦを切り替えるボタンである。動画撮影モードにおいては、動画撮影（記録）の開始、停止の指示にも用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。
【００２０】
再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を背面表示部２８に表示させることができる。
【００２１】
クイックリターンミラー１２は、システム制御部５０から指示されて、不図示のアクチュエータによりアップダウンされる。通信端子１０は撮像装置１００がレンズ側（着脱可能）と通信を行う為の通信端子である。
【００２２】
接眼ファインダー１６はフォーカシングスクリーン１３を観察することで、レンズユニット１５０を通して得た被写体の光学像の焦点や構図の確認を行うための覗き込み型の光学ファインダーＯＶＦ（Ｏｐｔｉｃａｌ  Ｖｉｅｗ  Ｆｉｎｄｅｒ）である。ただし、電子ビューファインダーＥＶＦ（Ｅｌｅｃｔｒｉｃａｌ  Ｖｉｅｗ  Ｆｉｎｄｅｒ）であってもよい。
【００２３】
蓋２０２は記録媒体を格納したスロットの蓋である。横位置撮影用グリップ部９０は、撮像装置１００に後述する縦位置撮影用グリップ３００を装着しない状態（取り外した状態）で、ユーザが撮像装置１００を構えた際に右手で把持しやすい形状とした把持部である。
【００２４】
図１（ｂ）において撮像装置１００の底面に配置されている三脚雌ネジ８０は、カメラ本体に後述する縦位置撮影用グリップ３００を装着する際の締結に用いられる。コネクタ８１は、縦位置撮影用グリップ３００のプラグ側コネクタと結合し、縦位置撮影用グリップ３００との通信を行うために用いられる。
【００２５】
次に撮像装置１００に装着および取り外し可能な縦位置撮影用グリップ３００について、図２（ａ）（ｂ）を用いて説明する。
【００２６】
縦位置撮影用グリップ３００の前面側にはカメラ１００側のシャッターボタン６１、メイン電子ダイヤル７１に相当する縦位置撮影時用のシャッターボタン３６１、メイン電子ダイヤル３７１が配置される。一方、縦位置撮影用グリップ３００の背面側にはカメラ背面側の操作部材７３、７７に相当する、縦位置撮影用のサブ電子ダイヤル３７３や釦類３７７等の操作部材が配置される。縦位置撮影用グリップ３００の内部には電池が収納可能である。
【００２７】
タワー部３０６は撮像装置１００への装着時にカメラ電池室内に挿入され、タワー部３０６先端の電源端子とカメラ電池室内の電源端子が接続される事で、収納された電池の電力を撮像装置１００へ供給する。
【００２８】
トップカバー３１４の中央には三脚雄ネジ３１５が突出している。三脚雄ネジ３１５と不図示のギヤ列で連動する三脚ネジノブ３１７の締め付け操作により、撮像装置本体底面の三脚雌ねじ８０に締め込まれ、縦位置撮影用グリップ３００を撮像装置１００に固定する。プラグ側コネクタ３１１は前述の各操作部材の操作等、縦位置撮影用グリップ３００の動作状態を示す信号をカメラ本体に伝達するためのものであり、前述のカメラ底面のコネクタ８１と結合する。
【００２９】
縦位置撮影用グリップ部３９０は、撮像装置１００に縦位置撮影用グリップ３００を装着した状態で、ユーザがカメラを構えた際に右手で把持しやすい形状とした把持部である。縦位置撮影用のシャッターボタン３６１は、縦位置撮影用グリップ部３９０の近傍に設けられた、ユーザの撮影指示を受け付ける操作部である。縦位置撮影用のシャッターボタン３６１は、縦位置撮影用グリップ部３９０を把持した撮像装置１００の姿勢状態で使用するためのシャッターボタンである。縦位置撮影用グリップ部３９０を把持した撮像装置１００の姿勢状態は、横位置撮影用グリップ部９０を把持した撮像装置１００の姿勢状態から撮像装置１００を、タッチパネルを正面から見て時計回りに９０°回転した状態である。
【００３０】
なお、本実施の形態では、縦位置撮影用グリップ３００を電子機器本体である撮像装置１００に着脱可能な形態としているが、本発明はこれに限定されず、縦位置撮影用グリップ３００が電子機器本体と一体となった形態であってもよい。
【００３１】
図３において、レンズユニット１５０は、交換可能な撮影レンズ１０３を搭載するレンズユニットである。レンズ１０３は通常、複数枚のレンズから構成されるが、ここでは簡略して一枚のレンズのみで示している。通信端子６はレンズユニット１５０が撮像装置１００側と通信を行う為の通信端子であり、通信端子１０は撮像装置１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介してレンズ１０３の位置を変位させることで焦点を合わせる。
【００３２】
ＡＥセンサー１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。
【００３３】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束を接眼ファインダー１６側と撮像部２２側とに切替えるためのミラーである。ミラー１２は通常時は接眼ファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００３４】
撮影者は、ペンタプリズム１４と接眼ファインダー１６を介して、フォーカシングスクリーン１３を観察することで、レンズユニット１５０を通して得た被写体の光学像の焦点や構図の確認が可能となる。
【００３５】
シャッター１０１は、システム制御部５０の制御で撮像部２２の露光時間を自由に制御できるフォーカルプレーンシャッターである。
【００３６】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００３７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００３８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、背面表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１９は、メモリ３２に格納されている画像表示用のデータをアナログ信号に変換して背面表示部２８に供給する。こうして、メモリ３２に書き込まれた表示用の画像データはＤ／Ａ変換器１９を介して背面表示部２８により表示される。背面表示部２８は、ＬＣＤ等の表示器上に、Ｄ／Ａ変換器１９からのアナログ信号に応じた表示を行う。Ａ／Ｄ変換器２３によって一度Ａ／Ｄ変換され、メモリ３２に蓄積されたデジタル信号を、Ｄ／Ａ変換器１９においてアナログ変換し、背面表示部２８に逐次転送して表示する。これにより、背面表示部２８が電子ビューファインダーＥＶＦとして機能し、スルー画像表示（ライブビュー表示）を行える。
【００３９】
ファインダー内液晶表示部４１には、ファインダー内表示部駆動回路４２を介して、現在オートフォーカスが行われている測距点を示すＡＦフレーム（ＡＦ枠）や、カメラの設定状態を表すアイコンなどが表示される。
【００４０】
ファインダー外液晶表示部４３には、ファインダー外表示部駆動回路４４を介して、シャッター速度や絞りをはじめとするカメラの様々な設定値が表示される。
【００４１】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００４２】
システム制御部５０は、例えばＣＰＵ（Ｃｅｎｔｒａｌ  Ｐｒｏｃｅｓｓｉｎｇ  Ｕｎｉｔ）であり、撮像装置１００全体を制御する。前述した不揮発性メモリ５６に記録されたプログラムを実行することで、後述する本実施形態の各処理を実現する。システムメモリ５２には、例えばＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、背面表示部２８等を制御することにより表示制御も行う。
【００４３】
システムタイマー５３は各種制御に用いる時間や、内蔵された時計の時間を計測する計時部である。
【００４４】
モード切替えスイッチ６０、第１シャッタースイッチ６２、第２シャッタースイッチ６４、操作部７０はシステム制御部５０に各種の動作指示を入力するための操作手段である。
【００４５】
モード切替えスイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替えスイッチ６０で、これらのモードのいずれかに直接切り替えられる。あるいは、モード切替えスイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００４６】
第１シャッタースイッチ６２は、撮像装置１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００４７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００４８】
縦位置撮影用グリップ３００と撮像装置１００はコネクタ８１内のＩ／Ｆ１８により通信可能となっている。縦位置撮影用グリップ３００の操作部材であるシャッターボタン３６１や電子ダイヤル３７１などの操作状態は、通信により撮像装置１００内のシステム制御部５０に入力され、撮像装置１００内の操作部材と同様に、あるいは区別され処理される。例えば、縦位置撮影用グリップ３００内のシャッターボタン３６１を半押しした際にはシステム制御部５０により、シャッターボタン６１を半押しした場合と同様にＡＦ処理等の動作が開始される。
【００４９】
操作部７０の各操作部材は、背面表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が背面表示部２８に表示される。利用者は、背面表示部２８に表示されたメニュー画面と、上下左右の４方向ボタンやＳＥＴボタンとを用いて直感的に各種設定を行うことができる。
【００５０】
操作部７０は、ユーザからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００５１】
なお操作部７０の一つとして、背面表示部２８に対する接触を検知可能なタッチパネル７０ａを有する。タッチパネル７０ａと背面表示部２８とは一体的に構成することができる。例えば、タッチパネル７０ａを光の透過率が背面表示部２８の表示を妨げないように構成し、背面表示部２８の表示面の上層に取り付ける。そして、タッチパネル７０ａにおける入力座標と、背面表示部２８上の表示座標とを対応付ける。これにより、ユーザが背面表示部２８上に表示された画面を直接的に操作可能であるかのようなＧＵＩ（グラフィカルユーザインターフェース）を構成することができる。システム制御部５０はタッチパネル７０ａへの以下の操作、あるいは状態を検出できる。
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００５２】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００５３】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのような操作が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。またタッチパネル７０ａ上をタッチダウンから一定のタッチムーブを経てタッチアップをしたとき、ストロークを描いたこととする。素早くストロークを描く操作をフリックと呼ぶ。フリックは、タッチパネル７０ａ上に指をタッチしたままある程度の距離だけ素早く動かして、そのまま離すといった操作であり、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００５４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００５５】
電源部３０は、アルカリ電池やリチウム電池等の一次電池やＮｉＣｄ電池やＮｉＭＨ電池、Ｌｉ電池等の二次電池、ＡＣアダプター等からなる。
【００５６】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００５７】
姿勢検知部５５は重力方向に対する撮像装置１００の姿勢を検知する。姿勢検知部５５で検知された姿勢に基づいて、撮像部２２で撮影された画像が、撮像装置１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加する他に、画像を回転して記録することが可能である。姿勢検知部５５としては、加速度センサーやジャイロセンサーなどを用いることができる。
【００５８】
接眼検知部５７は赤外発光体、受光回路で構成されており、一定間隔で赤外光を発光し、対象物で反射した光量を測定することで、既定位置に対象物が近接しているか否かを検知する。これにより、ユーザが接眼したか否かを判別できる。
【００５９】
把持検知部５８および縦位置側把持検知部３５８は横位置撮影用グリップ部９０および縦位置撮影用グリップ部３９０の表面に配置され、それぞれのグリップの把持状態を検知する。それぞれの把持検知部は赤外発光体、受光回路で構成されており、一定間隔で赤外光を発光し、対象物で反射した光量を測定することで、既定位置に対象物が近接しているか否かを検知する。これにより、ユーザがグリップを握っているか否かを判別できる。受光回路以外にも静電容量方式などタッチパネルに使用される技術に置き換えても構わない。
【００６０】
以下、図４から図１１を参照して、本発明の実施の形態による撮影時の焦点調節位置の設定方法について説明する。
【００６１】
（実施の形態１）
図４は、実施の形態１における撮影時の焦点調節位置の設定処理について説明するためのフローチャートである。このフローチャートにおける各ステップの処理は、システム制御部５０が不揮発性メモリ５６に格納されたプログラムをシステムメモリ５２に展開して実行することにより実現される。
【００６２】
まずＳ１０１で接眼検知状態を判定する。接眼検知部５７によりユーザが接眼ファインダー１６を覗いている接眼状態であるかどうかを判断する。ユーザが接眼ファインダー１６を覗いていると判断した場合はＳ１０２へ進み、ユーザが接眼ファインダー１６を覗いていないと判断した場合にはＳ１０７に進む。
【００６３】
Ｓ１０２では撮像装置背面に配置されている背面表示部２８を消灯する。これは、ユーザが接眼ファインダー１６を覗いている場合には、背面表示部２８の表示内容を認識することはできないためである。そして、背面表示部２８を消灯したのちにＳ１０３へ進む。
【００６４】
Ｓ１０３では背面表示部２８の表示面の上層に取り付けられたタッチパネル７０ａのタッチ検知領域を一部の領域に制限する。詳細については後述する。その後Ｓ１０４へ進む。
【００６５】
Ｓ１０４ではファインダー内液晶表示部４１に現在選択されている焦点調節位置を示すＡＦ枠（ＡＦフレーム）を表示する。
【００６６】
Ｓ１０５ではタッチ操作を検出する。タッチ操作が検出されると、Ｓ１０６で焦点調節に使用するＡＦフレームの変更処理を実施する。ユーザは、接眼ファインダー１６を除きながら、ファインダー内液晶表示部４１とタッチパネル７０ａを使用して、焦点調節に使用するＡＦフレームを変更する。
【００６７】
図５（ａ）（ｂ）は、接眼状態におけるタッチ操作によるＡＦフレームの変更処理について説明するための図である。絶対座標で焦点調節位置を指定するか、相対座標で焦点調節位置を指定するかを予めユーザが選択可能である。図５（ａ）は、絶対座標制御について説明するための図であり、図５（ｂ）は、相対座標制御について説明するための図である。
【００６８】
まず、図５（ａ）を用いて絶対座標制御について説明する。焦点調節に使用するＡＦフレーム（測距点）としてＡＦフレームＡが選択されているものとする。タッチパネル７０ａにユーザが指をタッチダウンすると、タッチダウンした位置に対応するＡＦフレームであるＡＦフレームＢが選択される。そして、タッチダウンした位置からＡＦフレームを移動するようにタッチムーブを行うと、ユーザ指示に従って、選択されているＡＦフレームは、ＡＦフレームＢからＡＦフレームＣに移動する。このような制御を絶対座標制御と称する。
【００６９】
次に、図５（ｂ）を用いて相対座標制御について説明する。焦点調節に使用するＡＦフレーム（ＡＦフレーム）として、ＡＦフレームＡが選択されているとする。タッチパネル７０ａにユーザが指をタッチダウンすると、ユーザ指示に従って、選択されているＡＦフレームはＡＦフレームＡのままで、タッチダウンした位置を基準点とする。そして、タッチダウンした位置からＡＦフレームを移動するようにタッチムーブを行うと、ユーザ指示に従って、基準点からタッチムーブした距離だけ選択されるＡＦフレームが移動する。よって、ＡＦフレームＡの位置からＡＦフレームＤの位置まで、選択されるＡＦフレームが移動する。このような制御を相対座標制御と称する。
【００７０】
一方、Ｓ１０１でユーザが接眼ファインダー１６を覗いていないと判断した場合はＳ１０７へ進み、背面表示部２８に撮影機能画面を表示する。背面表示部２８の撮影機能画面の表示例を図６（ａ）に示す。撮影機能画面は背面表示部２８に表示されている撮影機能項目を直接選択操作して、直感的な操作で所望の撮影機能の設定をおこなう画面である。背面表示部２８の表示面の上層に取り付けられたタッチパネル７０ａにより、直感的なタッチ操作が可能になっている。図６（ａ）に示す表示内のＱボタン領域をタッチすることで、各領域（各撮影機能項目）が選択可能となる。タッチ操作の他、十字キー７４とＳＥＴボタン７５による選択も可能である。撮影機能画面を表示したのちにＳ１０８へ進む。
【００７１】
Ｓ１０８では背面表示部２８の表示面の上層に取り付けられたタッチパネル７０ａのタッチ検知領域を全面（全体領域）に設定しＳ１０９へ進む。
【００７２】
Ｓ１０９では焦点調節位置の選択操作を検出する。撮影時の焦点調節位置の選択は、ユーザがＡＦフレーム選択ボタン７７の押し下げ、もしくは撮影機能画面内の焦点調節エリアアイコンをタッチすることで可能になる。焦点調節位置の選択操作が実施されていなければ処理を終了する。焦点調節位置のユーザによる選択操作が検出された場合はＳ１１０へ進む。
【００７３】
Ｓ１１０では背面表示部２８に現在選択されている焦点調節位置を示す枠（ＡＦフレーム）を表示する。このときの背面表示部２８の表示例を図６（ｂ）に示す。撮影時の焦点調節に使用するＡＦフレーム（測距枠）はタッチ操作あるいは十字キー７４で直感的に選択可能である。続いてＳ１１１へ進み、タッチ操作（および十字キー７４による操作）を検出する。タッチ操作（および十字キー７４による操作）が検出されればＳ１１２に進み、検出されなければＳ１１３に進む。
【００７４】
Ｓ１１２では、焦点調節に使用するＡＦフレームの変更処理を実施する。ユーザは、接眼ファインダー１６を除きながら、ファインダー内液晶表示部４１とタッチパネル７０ａを使用して、焦点調節に使用するＡＦフレームを変更する。
【００７５】
続いて、Ｓ１１３で、ＡＦフレーム選択操作の完了を待つ。ＡＦフレーム選択操作の完了は、所定時間継続して操作部材の入力が無いと判断されるか、あるいはＡＦフレーム選択ボタン７７が再度押し下げられるか、もしくは背面表示部２８に表示されている図６（ｃ）内の「戻る」アイコンがタッチされたかで判断される。ＡＦフレーム選択操作の完了と判断した場合は、処理を終了する。そうでなければＳ１１０〜Ｓ１１３の処理を繰り返す。
【００７６】
図７（ａ）（ｂ）は、ユーザが接眼ファインダー１６を覗いたまま、撮影時の焦点調節に使用するＡＦフレームを撮像装置背面のタッチパネル７０ａで変更する際のタッチ検知領域の設定処理について説明するための図である。
【００７７】
図７（ａ）に示す設定画面で、横位置撮影用のタッチ検知領域をタッチパネル７０ａの全面（全体領域）にするか一部の領域にするかを、撮影前に予め設定可能である。接眼ファインダー１６を覗きながら撮影する際には、左手でレンズ下部を支え、右手でグリップを握る姿勢が一般的である。この姿勢でタッチパネル７０ａのタッチ操作を行なう場合は右手の親指を使うことが想定されるため、親指がどこまで届くのか、或いは左手でタッチ操作するのかなど、ユーザが撮影スタイルに合わせてタッチ検知領域を予め選択することが可能である。
【００７８】
図７（ｂ）は、ユーザが設定可能な横位置撮影用のタッチ検知領域の例を示す図である。例えば、タッチパネル７０ａの全面、右半分、左半分、左上１／４、左下１／４、右上１／４、右下１／４の予め用意された複数のパターンから、ユーザ指示にしたがって、使用するタッチ検知領域のパターンを選択する。
【００７９】
図８は、ユーザが横位置撮影用グリップ部９０を把持して撮影した場合と、ユーザが縦位置撮影用グリップ部３９０を把持して撮影した場合における、タッチ検知領域の設定処理について説明するためのフローチャートである。このフローチャートにおける各ステップの処理は、システム制御部５０が不揮発性メモリ５６に格納されたプログラムをシステムメモリ５２に展開して実行することにより実現される。
【００８０】
まず、Ｓ２０１で接眼検知状態を判定する。具体的には、接眼検知部５７によりユーザが接眼ファインダー１６を覗いている接眼状態であるかどうかを判断する。ユーザが光接眼ファインダー１６を覗いていると判断した場合はＳ２０２へ進み、ユーザが接眼ファインダー１６を覗いていないと判断した場合には処理を終了する。
【００８１】
Ｓ２０２では第１シャッタースイッチ信号ＳＷ１を検出する。具体的には、信号ＳＷ１の入力が、横位置撮影用グリップ部９０の近傍のシャッターボタン６１の押下によるものなのか、縦位置撮影用グリップ部３９０の近傍のシャッターボタン３６１の押下によるものなのかを判別する。縦位置撮影用グリップ部３９０の近傍の縦位置撮影用シャッターボタン３６１の押下によるＳＷ１信号を検知した場合はＳ２０３に進む。そうでない場合はＳ２０４へ進む。
【００８２】
Ｓ２０３ではタッチ検知領域の設定を、横位置撮影用の設定から縦位置撮影用の設定に切り替える。Ｓ２０４ではタッチ検知領域の設定を横位置撮影用の設定のまま維持する（設定変更しない）。
【００８３】
図９は、横位置撮影用のタッチ検知領域と縦位置撮影用のタッチ検知領域の設定例を示す図である。図７に示したように予め設定された横位置撮影用のタッチ検知領域を、縦位置撮影用のタッチ検知領域に変更する。具体的には、予め設定された横位置撮影用のタッチ検知領域を、タッチパネルを正面から見て時計回りに９０°回転した領域に変更する。すなわち横位置撮影用グリップ部９０の近傍のシャッターボタン６１を操作した際に有効或いは無効なタッチ領域と、縦位置撮影用グリップ部３９０の近傍のシャッターボタン３６１を操作した際に有効或いは無効なタッチ領域を異ならせている。ここで、全画面領域が設定されている場合はタッチ検知領域を変更しないものとする。
【００８４】
横位置撮影用のタッチ検知領域は、撮像装置本体を背面から見て右側の横位置撮影用グリップ部９０を握った右手の親指が届く範囲に設定される。縦位置撮影用のタッチ検知領域は、撮像装置本体を背面から見て下側の縦位置撮影用グリップ部３９０を握った右手の親指が届く範囲に設定される。
【００８５】
Ｓ２０５ではタッチ操作を検出する。タッチ操作が検出されればＳ２０６に進み、検出されなければ処理を終了する。Ｓ２０６では焦点調節に使用するＡＦフレームの変更処理を実施する。接眼状態でＡＦフレームを変更する際の処理については既に図５（ａ）（ｂ）等を用いて説明済みであるため省略する。
【００８６】
したがって、この実施の形態１では、撮像装置の姿勢状態に応じたタッチ操作の操作性を向上させることができる。具体的には、ユーザがシャッターボタンの半押し操作するたびに、横位置撮影用のシャッターボタンと縦位置撮影用のシャッターボタンのどちらが操作されたのかを判断し、適切なタッチ検知領域をタッチパネルに自動的に設定することが可能になる。横位置撮影用のシャッターボタンが半押し操作された場合は、横位置撮影用グリップ部を握った右手の親指が届く範囲にタッチ検知領域が設定される。一方、縦位置撮影用のシャッターボタンが半押し操作された場合は、縦位置撮影用グリップ部３９０を握った右手の親指が届く範囲にタッチ検知領域が設定される。
【００８７】
（実施の形態２）
この実施の形態２では、タッチ検知領域の設定変更を所定時間経過したら自動的に解除し、変更前の横位置撮影用のタッチ検知領域に戻す。実施の形態２の撮像装置の構成は、実施の形態１で図３を用いて説明した構成と同様であるため、その詳細な説明は繰り返さない。
【００８８】
図１０は、実施の形態２におけるタッチ検知領域の設定処理について説明するためのフローチャートである。このフローチャートにおける各ステップの処理は、システム制御部５０が不揮発性メモリ５６に格納されたプログラムをシステムメモリ５２に展開して実行することにより実現される。
【００８９】
まず、Ｓ３０１で接眼検知状態を判定する。具体的には、接眼検知部５７によりユーザが接眼ファインダー１６を覗いている接眼状態であるかどうかを判断する。ユーザが接眼ファインダー１６を覗いていると判断した場合はＳ３０２へ進み、ユーザが接眼ファインダー１６を覗いていないと判断した場合には処理を終了する。
【００９０】
Ｓ３０２では第１シャッタースイッチ信号ＳＷ１を検出する。具体的には、信号ＳＷ１の入力が、横位置撮影用グリップ部９０の近傍のシャッターボタン６１の押下によるものなのか、縦位置撮影用グリップ部３９０の近傍のシャッターボタン３６１の押下によるものなのかを判別する。縦位置撮影用グリップ部３９０の近傍の縦位置撮影用のシャッターボタン３６１の押下によるＳＷ１信号を検知した場合はＳ３０３に進む。そうでない場合はＳ３１２へ進む。
【００９１】
Ｓ３０３ではタッチ検知領域の設定を、横位置撮影用の設定から縦位置撮影用の設定に切り替える。Ｓ３１２ではタッチ検知領域の設定を横位置撮影用の設定のまま維持する（設定変更しない）。横位置撮影用のタッチ検知領域と縦位置撮影用のタッチ検知領域の設定の例については、既に実施の形態１で図９等を用いて説明済みであるため詳細は省略する。
【００９２】
Ｓ３０４ではタッチ操作を検出する。タッチ操作が検出されればＳ３０５に進み、検出されなければＳ３０６に進む。
【００９３】
Ｓ３０５では焦点調節に使用するＡＦフレームの変更処理を実施する。接眼状態でＡＦフレームを変更する際の処理については既に実施の形態１で図５（ａ）（ｂ）等を用いて説明済みであるため省略する。
【００９４】
Ｓ３０６ではＳＷ１信号の入力解除、すなわちシャッターボタンのオフ（半押し解除）を検出する。シャッターボタンのオフが検出されなければＳ３０４〜Ｓ３０６の処理を繰り返し、シャッターボタンのオフが検出されればＳ３０７へ進む。Ｓ３０７ではＳＷ１オフタイマーの計時を開始する。ＳＷ１オフタイマーには予め所定の時間長（例えば６秒等）が設定される。ＳＷ１オフタイマーの計時中もタッチ操作の検出は行われており、Ｓ３０８でタッチ操作を検出するとＳ３０５と同様の処理がＳ３０９で実行される。
【００９５】
Ｓ３１０でＳＷ１オフタイマーの計時が完了するとＳ３１１へ進み、計時が完了するまでＳ３０８〜Ｓ３１０の処理を繰り返す。なお、ＳＷ１タイマーをゼロ秒に設定することで縦位置撮影用のシャッターボタン保持中のみタッチ検知領域を縦位置撮影用に切り替えることもできる。ＳＷ１オフタイマーを短い時間長に設定すると、撮像装置の把持状態を頻繁に変更して撮影するユーザの操作性を向上することができる。また、ＳＷ１オフタイマーを長い時間長に設定すると、一定の把持状態を保ったまま撮影時にＡＦフレームを頻繁に変更したいユーザの操作性を向上させることができる。
【００９６】
Ｓ３１１ではＳ３０３で縦位置撮影用の設定に変更したタッチ検知領域を、変更前の横位置撮影用の設定に戻す。
【００９７】
以上のように、この実施の形態２では、実施の形態１と同様に、撮像装置の姿勢状態に応じたタッチ操作の操作性を向上させることができる。特に、撮像装置の把持状態を頻繁に変更して撮影するユーザの操作性を向上することができる。
【００９８】
（実施の形態３）
この実施の形態３では、撮像装置の把持状態を検知することにより、タッチ検知領域の設定を行う。実施の形態３の撮像装置の構成は、実施の形態１で図３を用いて説明した構成と同様であるため、その詳細な説明は繰り返さない。
【００９９】
図１１は、実施の形態３におけるタッチ検知領域の設定処理について説明するためのフローチャートである。このフローチャートにおける各ステップの処理は、システム制御部５０が不揮発性メモリ５６に格納されたプログラムをシステムメモリ５２に展開して実行することにより実現される。
【０１００】
まず、Ｓ４０１で接眼検知状態を判定する。具体的には、接眼検知部５７によりユーザが接眼ファインダー１６を覗いている接眼状態であるかどうかを判定する。ユーザが接眼ファインダー１６を覗いていると判断した場合はＳ４０２へ進み、ユーザが接眼ファインダー１６を覗いていないと判断した場合にはＳ４０３へ進む。
【０１０１】
Ｓ４０２では、撮像装置１００の把持検知部５８と縦位置撮影用グリップ３００の把持検知部３５８の検知結果により、横位置撮影用グリップ部９０と縦位置撮影用グリップ部３９０のどちらが握られているのか、またはどちらも握られていないのかを判断する。ユーザがどちらのグリップ部も把持していないと判断されればＳ４０３へ進む。横位置撮影用グリップ部９０を把持していればＳ４０４へ、縦位置撮影用グリップ部３９０を把持していればＳ４０５へ進む。
【０１０２】
Ｓ４０３ではタッチパネル７０ａのタッチ検知領域を全面（全体領域）に設定し、Ｓ４０６へ進む。
【０１０３】
Ｓ４０４ではタッチ検知領域の横位置撮影用の設定のまま維持する（設定変更しない）。その後Ｓ４０７へ進む。
【０１０４】
Ｓ４０５ではタッチ検知領域の設定を、横位置撮影用の設定から縦位置撮影用の設定に切り替える。その後Ｓ４０７へ進む。
【０１０５】
Ｓ４０６ではタッチ操作を検出する。タッチ操作が検出されればＳ４０８に進み、検出されなければ処理を終了する。Ｓ４０８では焦点調節に使用するＡＦフレームの変更処理や、撮影機能項目の各種設定を行う。この場合のタッチ操作による制御は、図５（ａ）で説明した絶対座標制御とする。
【０１０６】
Ｓ４０７ではタッチ操作を検出する。タッチ操作が検出されればＳ４０９に進み、検出されなければ処理を終了する。Ｓ４０９では、焦点調節に使用するＡＦフレームの変更処理を実施する。ユーザは、接眼ファインダー１６を除きながら、ファインダー内液晶表示部４１とタッチパネル７０ａを使用して、焦点調節に使用するＡＦフレームを変更する。この場合のタッチ操作による制御は、図５（ａ）で説明した絶対座標制御、または図５（ｂ）で説明した相対座標制御のうち、ユーザが適宜選択可能とする。Ｓ４０９では、ユーザは接眼ファインダー１６を除きながらブラインド操作でタッチパネル７０ａを操作するため、相対座標制御を使用した方が、操作性が良い場合が多いと考えられる。
【０１０７】
以上のように、この実施の形態３では、実施の形態１と同様に、撮像装置の姿勢状態に応じたタッチ操作の操作性を向上させることができる。特に、撮像装置の把持状態を検知することにより、シャッターボタンが押下される前に、適切なタッチ検知領域をタッチパネルに自動的に設定することが可能になる。
【０１０８】
（その他の実施の形態）
本発明は、上述の実施の形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。上記コンピュータは、例えば、ＣＰＵやＭＰＵ等のプロセッサーで構成される。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【０１０９】
５０  システム制御部
６１，３６１  シャッターボタン
７０  操作部
９０  横位置撮影用グリップ部
１００  撮像装置
３００  縦位置撮影用グリップ
３９０  縦位置撮影用グリップ部
【図１】
2019184771.tif 000003
【図２】
2019184771.tif 000004
【図３】
2019184771.tif 000005
【図４】
2019184771.tif 000006
【図５】
2019184771.tif 000007
【図６】
2019184771.tif 000008
【図７】
2019184771.tif 000009
【図８】
2019184771.tif 000010
【図９】
2019184771.tif 000011
【図１０】
2019184771.tif 000012
【図１１】
2019184771.tif 000013